【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
物体側より像側へ順に配置された、正の屈折力の第１レンズ群、負の屈折力の第２レンズ群、１以上のレンズ群を含む後群より構成され、ズーミングに際して隣り合うレンズ群の間隔が変化するズームレンズであって、
前記後群は全ズーム範囲において正の屈折力を有し、
前記第２レンズ群は３つ以上の負レンズと２つ以上の正レンズを有し、
材料の屈折率とアッベ数を各々Ｎｄ、νｄとするとき、前記第２レンズ群に含まれる全ての正レンズは、
１．２６４＋１４．３／νｄ＜Ｎｄ＜１．３１７＋１６．６６７／νｄ
なる条件式を満足することを特徴とするズームレンズ。
【請求項２】
物体側より像側へ順に配置された、正の屈折力の第１レンズ群、負の屈折力の第２レンズ群、１以上のレンズ群を含む後群より構成され、ズーミングに際して隣り合うレンズ群の間隔が変化するズームレンズであって、
前記後群は全ズーム範囲において正の屈折力を有し、
前記第２レンズ群は３つ以上の負レンズと２つ以上の正レンズを有し、
前記第２レンズ群に含まれる正レンズの中で、物体側から数えて第ｉ番目に配置された正レンズＧ２ｐｉの材料のアッベ数をνｄ２ｐｉ、前記正レンズＧ２ｐｉの材料のｇ線とＦ線を基準とした部分分散比をθｇＦ２ｐｉ、前記正レンズＧ２ｐｉの焦点距離をｆ２ｐｉとし、
Ｘ２ｐｉ＝θｇＦ２ｐｉ−０．６４３８＋０．００１６８２×νｄ２ｐｉ
とおくとき、
−０．０１０＜（ΣＸ２ｐｉ／ｆ２ｐｉ）／（Σ１／ｆ２ｐｉ）＜０．００８
なる条件式を満足することを特徴とするズームレンズ。
【請求項３】
前記第２レンズ群は４つ以上の負レンズを有することを特徴とする請求項１または２に記載のズームレンズ。
【請求項４】
前記第２レンズ群に含まれる負レンズの中で、物体側から数えて第ｉ番目に配置された負レンズＧ２ｎｉの材料のアッベ数をνｄ２ｎｉ、前記負レンズＧ２ｎｉの材料のｇ線とＦ線を基準とした部分分散比をθｇＦ２ｎｉとし、
Ｘ２ｎｉ＝θｇＦ２ｎｉ−０．６４３８＋０．００１６８２×νｄ２ｎｉ
とおくとき、
０．０１＜Ｘ２ｎｉ＜０．１０
６０＜νｄ２ｎｉ
なる条件式を満足することを特徴とする請求項１乃至３のいずれか１項に記載のズームレンズ。
【請求項５】
前記第１レンズ群は複数のレンズを有し、前記第１レンズ群に含まれるレンズの中で、物体側から数えて第ｊ番目に配置されたレンズＧ１ｊの材料のアッベ数をνｄ１ｊ、前記レンズＧ１ｊのｇ線とＦ線を基準とした部分分散比をθｇＦ１ｊ、前記レンズＧ１ｊの焦点距離をｆ１ｊとし、
Ｘ１ｊ＝θｇＦ１ｊ−０．６４３８＋０．００１６８２×νｄ１ｊ
とおくとき、
０．０３＜（ΣＸ１ｊ／ｆ１ｊ）／（Σ１／ｆ１ｊ）＜０．１０
なる条件式を満足することを特徴とする請求項１乃至４のいずれか１項に記載のズームレンズ。
【請求項６】
前記第１レンズ群の焦点距離をｆ１、広角端における全系の焦点距離をｆｗとするとき、
４．０＜ｆ１／ｆｗ＜８．０
なる条件式を満足することを特徴とする請求項１乃至５のいずれか１項に記載のズームレンズ。
【請求項７】
前記第２レンズ群の焦点距離をｆ２、広角端における全系の焦点距離をｆｗとするとき、
０．６０＜−ｆ２／ｆｗ＜１．１０
なる条件式を満足することを特徴とする請求項１乃至６のいずれか１項に記載のズームレンズ。
【請求項８】
前記後群は、物体側から像側へ順に配置された、正の屈折力の第３レンズ群、負の屈折力の第４レンズ群、正の屈折力の第５レンズ群より構成されることを特徴とする請求項１乃至７のいずれか１項に記載のズームレンズ。
【請求項９】
広角端から望遠端へのズーミングに際して、各レンズ群は物体側へ移動することを特徴とする請求項８に記載のズームレンズ。
【請求項１０】
広角端から望遠端へのズーミングに際して前記第１レンズ群、前記第３レンズ群乃至第５レンズ群は物体側へ移動し、前記第２レンズ群は物体側に凸状の軌跡又は像側へ凸状の軌跡で移動することを特徴とする請求項８に記載のズームレンズ。
【請求項１１】
前記後群は、物体側から像側へ順に配置された、正の屈折力の第３レンズ群、正の屈折力の第４レンズ群、負の屈折力の第５レンズ群、正の屈折力の第６レンズ群より構成されることを特徴とする請求項１乃至７のいずれか１項に記載のズームレンズ。
【請求項１２】
前記後群は、物体側から像側へ順に配置された、正の屈折力の第３レンズ群、負の屈折力の第４レンズ群より構成されることを特徴とする請求項１乃至７のいずれか１項に記載のズームレンズ。
【請求項１３】
請求項１乃至１２のいずれか１項に記載のズームレンズと、該ズームレンズによって形成された像を受光する固体撮像素子とを有することを特徴とする撮像装置。
【手続補正２】
【補正対象書類名】明細書
【補正対象項目名】０００８
【補正方法】変更
【補正の内容】
【０００８】
本発明の一実施例のズームレンズは、物体側より像側へ順に配置された、正の屈折力の第１レンズ群、負の屈折力の第２レンズ群、１以上のレンズ群を含む後群より構成され、ズーミングに際して隣り合うレンズ群の間隔が変化するズームレンズであって、前記後群は全ズーム範囲において正の屈折力を有し、前記第２レンズ群は３つ以上の負レンズと２つ以上の正レンズを有し、材料の屈折率とアッベ数を各々Ｎｄ、νｄとするとき、前記第２レンズ群に含まれる全ての正レンズは、
１．２６４＋１４．３／νｄ＜Ｎｄ＜１．３１７＋１６．６６７／νｄ
なる条件式を満足することを特徴としている。
本発明の一実施例のズームレンズは、物体側より像側へ順に配置された、正の屈折力の第１レンズ群、負の屈折力の第２レンズ群、１以上のレンズ群を含む後群より構成され、ズーミングに際して隣り合うレンズ群の間隔が変化するズームレンズであって、前記後群は全ズーム範囲において正の屈折力を有し、前記第２レンズ群は３つ以上の負レンズと２つ以上の正レンズを有し、前記第２レンズ群に含まれる正レンズの中で、物体側から数えて第ｉ番目に配置された正レンズＧ２ｐｉの材料のアッベ数をνｄ２ｐｉ、前記正レンズＧ２ｐｉの材料のｇ線とＦ線を基準とした部分分散比をθｇＦ２ｐｉ、前記正レンズＧ２ｐｉの焦点距離をｆ２ｐｉとし、
Ｘ２ｐｉ＝θｇＦ２ｐｉ−０．６４３８＋０．００１６８２×νｄ２ｐｉ
とおくとき、
−０．０１０＜（ΣＸ２ｐｉ／ｆ２ｐｉ）／（Σ１／ｆ２ｐｉ）＜０．００８
なる条件式を満足することを特徴としている。
【手続補正３】
【補正対象書類名】明細書
【補正対象項目名】００３７
【補正方法】変更
【補正の内容】
【００３７】
各実施例において、後群ＬＲは全ズーム範囲において正の屈折力を有する。第２レンズ
群Ｌ２は３つ以上の負レンズと２つ以上の正レンズを有する。材料の屈折率とアッベ数を
各々Ｎｄ、νｄとするとき、第２レンズ群Ｌ２の正レンズの全ては、
１．２６４＋１４．３／νｄ＜Ｎｄ＜１．３１７＋１６．６６７／νｄ  ・・・（１）
なる条件式を満足する。
【手続補正４】
【補正対象書類名】明細書
【補正対象項目名】００４０
【補正方法】変更
【補正の内容】
【００４０】
各実施例においてアッベ数νｄ、ｇ線とＦ線を基準とした部分分散比θｇＦは次のとおりである。ｇ線（波長４３５．８ｎｍ）、Ｆ線（４８６．１ｎｍ）、Ｃ線（６５６．３ｎｍ）、ｄ線（５８７．６ｎｍ）に対する材料の屈折率をそれぞれＮｇ、ＮＦ、ＮＣ、Ｎｄとする。このとき、アッベ数νｄと部分分散比θｇＦは、
νｄ＝（Ｎｄ−１）／（ＮＦ−ＮＣ）
θｇＦ＝（Ｎｇ−ＮＦ）／（ＮＦ−ＮＣ）
で表される値である。
【手続補正５】
【補正対象書類名】明細書
【補正対象項目名】００４３
【補正方法】変更
【補正の内容】
【００４３】
そして、第２レンズ群Ｌ２の物体側から数えて第ｉ番目の正レンズＧ２ｐｉの材料のアッベ数をνｄ２ｐｉ、正レンズＧ２ｐｉの材料のｇ線とＦ線を基準とした部分分散比をθｇＦ２ｐｉとする。正レンズＧ２ｐｉの焦点距離をｆ２ｐｉとする。そして
Ｘ２ｐｉ＝θｇＦ２ｐｉ−０．６４３８＋０．００１６８２×νｄ２ｐｉ・・・（ａ１）
とおく。
【手続補正６】
【補正対象書類名】明細書
【補正対象項目名】００４４
【補正方法】変更
【補正の内容】
【００４４】
第２レンズ群Ｌ２の物体側から数えた第ｉ番目の負レンズＧ２ｎｉの材料のアッベ数をνｄ２ｎｉ、負レンズＧ２ｎｉの材料のｇ線とＦ線を基準とした部分分散比をθｇＦ２ｎｉとする。そして
Ｘ２ｎｉ＝θｇＦ２ｎｉ−０．６４３８＋０．００１６８２×νｄ２ｎｉ・・・（ａ２）
とおく。